(57)【特許請求の範囲】
【請求項１】
複数の第一光源と、
上記第一光源の配光特性よりもビーム角が広い配光特性を有する複数の第二光源と、
略平面状の表面を有し、上記複数の第一光源が、上記表面上の所定の点から所定の第一の距離離れた位置に実装され、上記複数の第二光源が、上記所定の点から上記第一の距離と異なる所定の第二の距離離れた位置に実装された基板と、
上記複数の第一光源と上記複数の第二光源とを点灯し、上記複数の第一光源を点灯する明るさと上記複数の第二光源を点灯する明るさとのうち、少なくともいずれかの明るさを変更可能な点灯回路と、
上記複数の第一光源と、上記複数の第二光源とを覆う、拡散性及び透光性を有するカバーと
を有し、
上記複数の第一光源及び上記複数の第二光源は、それぞれ、光軸方向を中心とする略回転対称な配光特性を有し、上記光軸方向が上記基板の表面に対して略垂直に配置されており、
上記カバーは、
上記光軸方向における上記基板の表面の位置から、上記光軸方向における上記複数の第一光源及び上記複数の第二光源の光の出射方向に向かって立ち上がることを特徴とする照明装置。
【請求項２】
上記カバーは、
円筒状と半球面状とのいずれかの形状である請求項１に記載の照明装置。
【請求項３】
上記第二の距離は、上記第一の距離よりも大きいことを特徴とする請求項１または請求項２に記載の照明装置。
【請求項４】
上記照明装置は、
上記照明装置の配光角を決定する配光角決定部を有し、
上記点灯回路は、上記配光角決定部が決定した配光角が狭いほど、上記複数の第二光源を暗く点灯する
ことを特徴とする請求項１から請求項３のいずれか一項に記載の照明装置。
【請求項５】
上記照明装置は、
上記照明装置を通常モードで点灯するか常夜灯モードで点灯するかを決定する点灯モード決定部を有し、
上記点灯回路は、上記点灯モード決定部が決定したモードが常夜灯モードである場合、上記複数の第一光源と上記複数の第二光源とのうちから選択された１つ以上の光源を常夜灯光源とし、上記点灯モード決定部が決定したモードが通常モードである場合よりも暗い明るさで、上記常夜灯光源を点灯する
ことを特徴とする請求項１から請求項４のいずれか一項に記載の照明装置。
【発明の詳細な説明】
【技術分野】
【０００１】
この発明は、照明装置に関する。
【背景技術】
【０００２】
照明装置の配光特性を制御するため、例えば、レンズやリフレクタなどの光学部品を使う技術がある。
光学部品を交換したり、光学部品と光源との位置関係を変化させることにより、照明装置の配光特性を変化させる技術がある。
【先行技術文献】
【特許文献】
【０００３】
【特許文献１】特開２０１０−４９８６５号公報
【発明の概要】
【発明が解決しようとする課題】
【０００４】
光学部品を使って配光特性を制御する場合、照明装置の構成が複雑になり、位置合わせなどの精度が必要になるので、製造コストが高くなる。また、照明装置の配光特性を変化させるために、光学部品を交換する方式は手間がかかるし、光学部品と光源との位置関係を変化させる方式は、照明装置の構成が更に複雑になる。
この発明は、例えば、照明装置の配光特性を容易に変化させることを目的とする。
【課題を解決するための手段】
【０００５】
この発明にかかる照明装置は、複数の第一光源と、上記第一光源の配光特性よりもビーム角が広い配光特性を有する複数の第二光源と、略平面状の表面を有し、上記複数の第一光源が、上記表面上の所定の点から所定の第一の距離離れた位置に実装され、上記複数の第二光源が、上記所定の点から上記第一の距離と異なる所定の第二の距離離れた位置に実装された基板と、上記複数の第一光源と上記複数の第二光源とを点灯し、上記複数の第一光源を点灯する明るさと上記複数の第二光源を点灯する明るさとのうち、少なくともいずれかの明るさを変更可能な点灯回路とを有することを特徴とする。
【発明の効果】
【０００６】
この発明にかかる照明装置によれば、照明装置の配光特性を容易に変化させることができる。
【図面の簡単な説明】
【０００７】
【図１】実施の形態１における照明装置１０の構造を示す正視図。
【図２】実施の形態１における光源１１，１２の配光特性を示すグラフ図。
【図３】実施の形態１における照明装置１０の回路構成を示す構成図。
【図４】実施の形態１における照明装置１０の配光特性を示すグラフ図。
【図５】実施の形態２における照明装置１０の構造を示す正視図。
【図６】実施の形態２における光源１１，１２が放射する光の経路を示す図。
【図７】実施の形態３における照明装置１０の構造を示す正視図。
【図８】実施の形態３における光源１１，１２が放射する光の経路を示す図。
【図９】実施の形態４における照明装置１０の回路構成を示す構成図。
【図１０】実施の形態５における照明装置１０の構造を示す正視図。
【発明を実施するための形態】
【０００８】
実施の形態１．
実施の形態１について、図１〜図４を用いて説明する。
【０００９】
図１は、この実施の形態における照明装置１０の構造を示す正視図（底面図及び側面視Ａ−Ａ断面図）である。
【００１０】
照明装置１０は、例えば天井面などに取り付けて使用される照明器具である。照明装置１０は、例えば、複数の光源１１ａ〜１１ｃ，１２ａ〜１２ｈと、基板１３と、ケース１４と、点灯装置２０とを有する。
【００１１】
ケース１４は、照明装置１０の本体構造部分である。ケース１４は、例えば板金などにより形成されている。
基板１３は、例えばプリント配線板である。基板１３は、平面板状であり、例えば円板状である。
光源１１ａ〜１１ｃ，１２ａ〜１２ｈは、例えばＬＥＤ（発光ダイオード）パッケージである。光源１１ａ〜１１ｃ，１２ａ〜１２ｈは、基板１３の表面（実装面）に実装されている。このうち、光源１１ａ〜１１ｃは、基板１３の表面の中心点４０（所定の点）から同じ距離４１（第一の距離）離れた位置に、等間隔に配置されている。光源１２ａ〜１２ｈは、中心点４０から同じ距離４２（第二の距離）離れた位置に、等間隔に配置されている。距離４２は、距離４１よりも大きい。光源１１ａ〜１１ｃと、光源１２ａ〜１２ｈとは、異なる配光特性を有する。例えば、光源１２ａ〜１２ｈの二分の一ビーム角は、光源１１ａ〜１１ｃの二分の一ビーム角よりも広い。例えば、光源１１ａ〜１１ｃの二分の一ビーム角は、９０度以下である。例えば、光源１２ａ〜１２ｈの二分の一ビーム角は、光源１１ａ〜１１ｃの二分の一ビーム角の１．４倍以上である。
点灯装置２０（光源点灯装置）は、ケース１４の内部に配置されている。点灯装置２０は、商用交流電源などの外部電源から供給される電力を、光源１１ａ〜１１ｃ，１２ａ〜１２ｈに対して供給する電力に変換して、変換した電力を出力する。点灯装置２０が出力した電力は、図示していない配線を介して、光源１１ａ〜１１ｃ，１２ａ〜１２ｈに供給される。
【００１２】
図２は、この実施の形態における光源１１ａ〜１１ｃ，１２ａ〜１２ｈの配光特性を示すグラフ図である。
【００１３】
配光曲線４３は、光源１１ａ〜１１ｃの配光特性を表わす。配光曲線４４は、光源１２ａ〜１２ｈの配光特性を表わす。
例えば、光源１１ａ〜１１ｃは、正面方向（基板１３に実装されたとき基板１３の表面に対して垂直になる方向）を中心とする回転対称な配光特性を有する。光源１１ａ〜光源１１ｃは、正面方向に対して放射する光が最も強く、光の放射方向と正面方向とがなす角度が大きくなるほど、放射する光が弱くなる。光源１１ａ〜１１ｃの二分の一ビーム角は、例えば６０度である。すなわち、光源１１ａ〜１１ｃが正面方向に対して３０度の角度をなす方向に放射する光の強さは、光源１１ａ〜１１ｃが正面方向に対して放射する光の強さの半分である。
例えば、光源１２ａ〜１２ｈは、正面方向を中心とする回転対称な配光特性を有する。光源１２ａ〜１２ｈは、正面方向に対して放射する光よりも、正面方向に対して所定の角度をなす方向に対して放射する光のほうが強い。光源１２ａ〜１２ｈの二分の一ビーム角は、例えば１４０度である。すなわち、光源１２ａ〜１２ｈが正面方向に対して７０度の角度をなす方向に放射する光の強さは、光源１２ａ〜１２ｈが放射する光の強さが最も強い方向に放射する光の強さの半分である。
【００１４】
図３は、この実施の形態における照明装置１０の回路構成を示す構成図である。
【００１５】
光源回路３０ａ（ＬＥＤモジュール）は、基板１３上に設けられたプリント配線やその他の配線などによって光源１１ａ〜１１ｃの間を電気接続して構成した回路である。光源１１ａ〜１１ｃには、同じ電流が流れる。例えば、光源１１ａ〜１１ｃは、互いに直列あるいは直並列に電気接続している。
光源回路３０ｂ（ＬＥＤモジュール）は、基板１３上に設けられたプリント配線やその他の配線などによって光源１２ａ〜１２ｈの間を電気接続して構成した回路である。光源１２ａ〜１２ｈには、同じ電流が流れる。例えば、光源１２ａ〜１２ｈは、互いに直列あるいは直並列に電気接続している。
【００１６】
点灯装置２０は、例えば、整流回路２１と、２つの直流直流変換回路２２ａ，２２ｂと、２つの電流検出回路２４ａ，２４ｂと、制御回路２５とを有する。
整流回路２１は、外部電源ＡＣから供給される電力を整流する。整流回路２１は、例えば、ダイオードブリッジＤＢと、コンデンサＣ１とを有する。
直流直流変換回路２２ａ（点灯回路）は、整流回路２１が整流した電力を、光源回路３０ａに対して供給する直流電力に変換する。直流直流変換回路２２ａは、例えば、バックコンバータ回路であり、スイッチング素子Ｑ２と、制御ＩＣ２３ａと、整流素子Ｄ２と、チョークコイルＬ２と、平滑コンデンサＣ２とを有する。制御ＩＣ２３ａは、制御回路２５からの指示にしたがって、スイッチング素子Ｑ２を高周波でオンオフする。これにより、チョークコイルＬ２を流れた電流は、平滑コンデンサＣ２によって平滑化され、光源回路３０ａを流れる直流電流になる。
直流直流変換回路２２ｂ（点灯回路）は、整流回路２１が整流した電力を、光源回路３０ｂに対して供給する直流電力に変換する。直流直流変換回路２２ｂは、例えば、バックコンバータ回路であり、スイッチング素子Ｑ３と、制御ＩＣ２３ｂと、整流素子Ｄ３と、チョークコイルＬ３と、平滑コンデンサＣ３とを有する。制御ＩＣ２３ｂは、制御回路２５からの指示にしたがって、スイッチング素子Ｑ２を高周波でオンオフする。これにより、チョークコイルＬ３を流れた電流は、平滑コンデンサＣ３によって平滑化され、光源回路３０ｂを流れる直流電流になる。
電流検出回路２４ａは、光源回路３０ａを流れる電流を検出する。電流検出回路２４ｂは、光源回路３０ｂを流れる電流を検出する。
制御回路２５（配光角決定部）は、電流検出回路２４ａが検出した電流に基づいて、制御ＩＣ２３ａを制御する。制御回路２５は、光源回路３０ａを流れる電流が第一目標電流に等しくなるよう、制御ＩＣ２３ａがスイッチング素子Ｑ２をオンオフする周期やデューティ比などを調整する。また、制御回路２５は、電流検出回路２４ｂが検出した電流に基づいて、制御ＩＣ２３ｂを制御する。制御回路２５は、光源回路３０ｂを流れる電流が第二目標電流に等しくなるよう、制御ＩＣ２３ｂがスイッチング素子Ｑ３をオンオフする周期やデューティ比などを調整する。
照明装置１０は、例えばリモコンや壁スイッチやプルスイッチなどの操作入力装置により、利用者が望む調光率や配光特性（配光角）を入力する。制御回路２５は、これらの情報に基づいて、第一目標電流や第二目標電流を決定する。
あるいは、照明装置１０は、例えば照度センサや人感センサなどにより、室内の明るさや人の在不在を検出する。制御回路２５は、これらの情報に基づいて、照明装置１０の調光率や配光特性（配光角）を決定し、それに基づいて、第一目標電流や第二目標電流を決定する。
【００１７】
図４は、この実施の形態における照明装置１０の配光特性を示すグラフ図である。
【００１８】
配光曲線４５ａは、光源１１ａ〜１１ｃを１００％の調光率で点灯し、光源１２ａ〜１２ｈを消灯した場合における照明装置１０の配光特性を表わす。配光曲線４５ｂは、光源１１ａ〜１１ｃを７５％の調光率で点灯し、光源１２ａ〜１２ｈを２５％の調光率で点灯した場合における照明装置１０の配光特性を表わす。配光曲線４５ｃは、光源１１ａ〜１１ｃ，１２ａ〜１２ｈを、５０％の調光率で点灯した場合における照明装置１０の配光特性を表わす。配光曲線４５ｄは、光源１１ａ〜１１ｃを２５％の調光率で点灯し、光源１２ａ〜１２ｈを７５％の調光率で点灯した場合における照明装置１０の配光特性を表わす。配光曲線４５ｅは、光源１１ａ〜１１ｃを消灯し、光源１２ａ〜１２ｈを１００％の調光率で点灯した場合における照明装置１０の配光特性を表わす。
【００１９】
このように、光源１１ａ〜１１ｃの調光率を光源１２ａ〜１２ｈの調光率と比べて高くすれば、照明装置１０は、真下方向を明るく照らし、横方向に放射する光が少なく、指向性の強い光を放射する。
逆に、光源１２ａ〜１２ｈの調光率を光源１１ａ〜１１ｃの調光率と比べて高くすれば、照明装置１０は、真下方向に放射する光が少なく、部屋全体を広く照らす光を放射する。
部屋全体を照らす必要がないときは、光源１２ａ〜１２ｈの調光率を下げて、主に真下方向を照らすようにすれば、照明装置１０の直下の照度をあまり低下させることなく、照明装置１０の消費電力を抑え、省エネルギーを図ることができる。
また、照明装置１０の配光特性を変えることにより、室内の照明雰囲気を変えることができ、使用者の好みに合った照明雰囲気を作ることができる。
【００２０】
このように、光源１１ａ〜１１ｃの調光率と、光源１２ａ〜１２ｈの調光率との比を変えることにより、照明装置１０の配光特性を容易に変化させることができる。レンズやリフレクタなど照明装置１０の配光特性を制御するための光学部品が必要ない。光学部品を交換したり機械的に移動される必要もない。更に、すべての光源を同じ基板に同じ向きに実装すればよい。これにより、照明装置１０の部品数を削減でき、照明装置１０の部品コストや組み立てコストなどのコストを削減でき、照明装置１０を小型化することができ、照明装置１０の信頼性を高めることができる。
【００２１】
なお、二分の一ビーム角が狭い光源１１ａ〜１１ｃを外側に配置し、二分の一ビーム角が広い光源１２ａ〜１２ｈを内側に配置する構成であってもよい。
また、１種類の光源を、一重円状に配置するのではなく、二重円状などの同心円状に配置し、その外側（あるいは内側）に、別の種類の光源を同心円状に配置する構成であってもよい。
【００２２】
また、照明装置１０は、二種類の光源に限らず、三種類以上の光源を用いる構成であってもよい。
異なる種類の光源は、配光特性だけでなく、発光色や相関色温度などが異なるものであってもよい。
【００２３】
実施の形態２．
実施の形態２について、図５〜図６を用いて説明する。
なお、実施の形態１と共通する部分については、同一の符号を付し、説明を省略する。
【００２４】
図５は、この実施の形態における照明装置１０の構造を示す正視図（底面図及び側面視Ａ−Ａ断面図）である。
【００２５】
照明装置１０は、実施の形態１で説明した構成に加えて、更に、カバー１５を有する。
カバー１５（セード）は、例えば底面を有する円筒状である。カバー１５は、光を拡散透過する。カバー１５は、例えば白色半透明の樹脂などで形成されている。光源１１ａ〜１１ｃ，１２ａ〜１２ｈが放射した光をカバー１５が拡散するので、照明装置１０を見たとき、光源１１ａ〜１１ｃ，１２ａ〜１２ｈが直接見えず、眩しさを軽減することができる。
基板１３の表面は、光を反射する。例えば、基板１３の表面に、白色の塗装などをすることにより、反射層が設けられている。あるいは、基板１３そのものが、白色の材料で形成されている。あるいは、基板１３の上を、白色に塗装した金属や白色樹脂などによって形成した反射板で覆った構成であってもよい。カバー１５の内側で反射した光を、基板１３の表面が反射することにより、照明装置１０の発光効率を高めることができる。
【００２６】
図６は、この実施の形態における光源１１，１２が放射する光の経路を示す図である。
【００２７】
光源１１は、光源回路３０の表面の中心点４０から距離４１離れた位置に配置されている。光源１２は、中心点４０から距離４２離れた位置に配置されている。
光源１１は、光源１２よりも中心点４０に近い位置に配置され、光源１２よりも二分の一ビーム角が小さいので、光源１１が放射した光のほとんどは、カバー１５の底面に入射する。カバー１５の底面への入射角が小さいので、カバー１５の内側で反射する光は少なく、ほとんどの光がカバー１５を透過して、外部に放射される。カバー１５の内側で反射した光は、基板１３の表面で反射して、再びカバー１５に入射する。
光源１２は、光源１１よりも中心点４０から遠い位置に配置され、光源１１よりも二分の一ビーム角が大きいので、光源１２が放射した光の一部は、カバー１５の側面に入射する。カバー１５の側面に入射した光の一部は、カバー１５を透過して、外部に放射される。カバー１５の側面で反射してカバー１５の底面に入射した光や、カバー１５の底面に直接入射した光は、一部が透過し、一部が反射する。光源１１が放射した光よりも、カバー１５の底面への入射角が大きいので、カバー１５の底面で反射する光の割合が大きい。カバー１５の内側で反射した光は、基板１３の表面で反射して、再びカバー１５に入射する。
【００２８】
このように、光源１１が放射した光のほとんどは、カバー１５の底面に直接入射して透過する。カバー１５の底面で拡散された光は、カバー１５の底面に対して垂直な方向（すなわち真下方向）を中心とする方向へ向かう。カバー１５で拡散される分、二分の一ビーム角が大きくなるものの、全体としての傾向は変わらず、真下方向を中心とする比較的指向性の強い光になる。
一方、光源１２が放射した光の一部は、カバー１５の側面に入射して透過する。カバー１５の側面で拡散された光は、カバー１５の側面に対して垂直な方向（すなわち真横方向）を中心とする方向へ向かう。また、カバー１５の底面を透過する光の割合は小さい。このため、カバー１５で拡散される分、二分の一ビーム角が大きくなり、横方向へ向かう光の割合が多い光になる。
【００２９】
このように、二分の一ビーム角が小さい配光特性を持つ光源１１を内側に配置し、二分の一ビーム角が大きい配光特性を持つ光源１２を外側に配置することにより、カバー１５での拡散による影響を小さくし、それぞれの光源１１，１２の配光特性を維持することができる。このため、光源１１の調光率と光源１２の調光率との比を変えることにより、照明装置１０が放射する光の配光特性を容易に変えることができる。
【００３０】
実施の形態３．
実施の形態３について、図７〜図８を用いて説明する。
なお、実施の形態１または実施の形態２と共通する部分については、同一の符号を付し、説明を省略する。
【００３１】
図７は、この実施の形態における照明装置１０の構造を示す正視図（底面図及び側面視Ａ−Ａ断面図）である。
【００３２】
照明装置１０は、実施の形態２と同様、カバー１５を有する。実施の形態２とはカバー１５の形状が異なり、半球面状である。それ以外の点は、実施の形態２と同様である。
【００３３】
図８は、この実施の形態における光源１１，１２が放射する光の経路を示す図である。
【００３４】
光源１１は、光源１２よりも中心点４０に近い位置に配置され、二分の一ビーム角が小さい配光特性を有するので、カバー１５の底のほうに入射する光の割合が大きい。これに対し、光源１２は、光源１１よりも中心点４０から遠い位置に配置され、二分の一ビーム角が大きい配光特性を有するので、カバー１５の横のほうに入射する光の割合が大きい。
カバー１５を拡散透過する光は、カバー１５に対して垂直な方向を中心とする方向へ向かう。このため、カバー１５の底のほうに入射した光は、真下方向に近い方向へ向かい、カバー１５の横のほうに入射した光は、真横方向に近い方向へ向かう。
したがって、実施の形態２と同様、カバー１５での拡散による影響を小さくし、それぞれの光源１１，１２の配光特性を維持することができる。このため、光源１１の調光率と光源１２の調光率との比を変えることにより、照明装置１０が放射する光の配光特性を容易に変えることができる。
【００３５】
実施の形態４．
実施の形態４について、図９を用いて説明する。
なお、実施の形態１〜実施の形態３と共通する部分については、同一の符号を付し、説明を省略する。
【００３６】
この実施の形態における照明装置１０の構造は、実施の形態１〜実施の形態３で説明したものと同様である。
【００３７】
図９は、この実施の形態における照明装置１０の回路構成を示す構成図である。
【００３８】
光源回路３０ｂは、実施の形態１で説明した構成に加えて、更に、スイッチング回路Ｓ３を有する。
スイッチング回路Ｓ３は、例えばエンハンスメント型ｎＭＯＳＦＥＴなどのスイッチング素子を有する。スイッチング回路Ｓ３のスイッチング素子は、制御回路２５からの指示にしたがってオンオフする。スイッチング回路Ｓ３は、光源１２ｃ〜１２ｈと並列に電気接続している。スイッチング回路Ｓ３がオフの場合、直流直流変換回路２２ｂから供給される電力により、光源１２ａ〜１２ｈが点灯する。スイッチング回路Ｓ３がオンの場合、光源１２ｃ〜１２ｈは点灯せず、光源１２ａ，１２ｂだけが点灯する。
【００３９】
制御回路２５（点灯モード決定部）は、照明装置１０を通常モードで点灯するか、常夜灯モードで点灯するかを決定する。
例えば、照明装置１０は、リモコンや壁スイッチやプルスイッチなどの操作入力装置により利用者が望む点灯モードを入力する。制御回路２５は、入力した情報に基づいて、点灯モードを決定する。
あるいは、照明装置１０は、例えば照度センサや人感センサなどにより、室内の明るさや人の在不在を検出する。制御回路２５は、これらの情報に基づいて、点灯モードを決定する。
【００４０】
常夜灯モードで点灯すると決定した場合、制御回路２５は、まず、直流直流変換回路２２ａ，２２ｂの動作を停止する。平滑コンデンサＣ３が十分に放電したのち、制御回路２５は、スイッチング回路Ｓ３をオンにする。これにより、光源１２ａ，１２ｂを過渡的に過大な電流が流れるのを防ぐ。制御回路２５は、直流直流変換回路２２ｂの動作を再開させる。これにより、光源１２ａ，１２ｂだけを点灯し、他の光源１１ａ〜１１ｃ，１２ｃ〜１２ｈを消灯する。制御回路２５は、光源回路３０ｂを流れる電流が、通常モードのときよりも少ない第三目標電流に等しくなるよう、制御ＩＣ２３ｂがスイッチング素子Ｑ３をオンオフする周期やデューティ比などを調整する。これにより、光源１２ａ，１２ｂは、通常モードのときよりも暗く点灯する。第三目標電流は、光源１２ａ，１２ｂを１０％の調光率で点灯するときの電流よりも小さい電流である。
【００４１】
照明装置１０を常夜灯として機能させる場合、特定の場所を集中して照らすのではなく、部屋全体を微かに照らすことが求められる。このため、二分の一ビーム角が小さい光源１１ではなく、二分の一ビーム角が大きい光源１２を点灯する。また、光源１２ａ〜１２ｈをすべて点灯するのではなく、一部の光源１２ａ，１２ｂだけを、暗く点灯する。光源１２ａ，１２ｂは、他の光源１１ａ〜１１ｃ，１２ｃ〜１２ｈよりも点灯時間が長くなるので、早く寿命を迎える可能性がある。しかし、常夜灯モードでの点灯時に流れる電流は、１０％調光率での点灯時の電流よりも小さいので、常夜灯モードでの点灯によって生じる寿命の差よりも、光源の個体差による寿命の差のほうが大きい。
【００４２】
このように、二分の一ビーム角が大きい光源１２のうちの一部を暗く点灯することにより、照明装置１０を常夜灯として機能させることができる。
【００４３】
なお、常夜灯として点灯する光源は、２つではなく、１つだけであってもよいし、３つ以上であってもよい。また、常に同じ光源を常夜灯として点灯するのではなく、常夜灯モードで点灯する光源をときどき交代させて、光源の点灯時間を均等にする構成であってもよい。あるいは、光源１２ａ〜１２ｈすべてを常夜灯として点灯する構成であってもよい。
【００４４】
また、通常モードから常夜灯モードへの移行時に、常夜灯として点灯する光源に過大な電流が流れるのを防ぐため、スイッチング回路Ｓ３と直列に電流制限抵抗を設ける構成であってもよい。
【００４５】
また、通常モードから常夜灯モードへの移行時に、直流直流変換回路２２ａ，２２ｂを停止するのではなく、第一目標電流及び第二目標電流を徐々に減らして、フェードアウト消灯する構成であってもよい。
【００４６】
また、常夜灯モードにおいて光源を点灯する明るさを、利用者が、リモコンや壁スイッチやプルスイッチなどの操作入力装置により設定できる構成であってもよい。制御回路２５は、設定内容に基づいて、第三目標電流を決定する。
【００４７】
実施の形態５．
実施の形態５について、図１０を用いて説明する。
なお、実施の形態１〜実施の形態４と共通する部分については、同一の符号を付し、説明を省略する。
【００４８】
この実施の形態における照明装置１０の構造は、実施の形態１〜実施の形態３で説明したものと同様である。
【００４９】
図１０は、この実施の形態における照明装置１０の構造を示す正視図（平面図及び底面図及び側面視Ａ−Ａ断面図）である。
なお、光源１１，１２や基板１３は、省略している。
【００５０】
照明装置１０は、実施の形態４で説明した構成に加えて、更に、取付け部品５０を有する。
取付け部品５０（器具アダプタ）は、略円柱状である。取付け部品５０は、例えば、２つの引っ掛けシーリング係合部５１と、複数の突起部５２とを有する。
引っ掛けシーリング係合部５１は、取付け部品５０の上底面に設けられている。引っ掛けシーリング係合部５１は、天井面に設けられた引っ掛けシーリングコンセントと係合することにより、取付け部品５０を天井面に固定する。また、引っ掛けシーリング係合部５１の内部には、電極が設けられていて、係合した引っ掛けシーリングと電極が接触して電気接続することにより、外部電源ＡＣから供給される電力を入力する。
突起部５２は、取付け部品５０の側面から外向きに突出している。複数の突起部５２は、それぞれ異なる方向へ向けて、略等間隔に配置されている。
【００５１】
ケース１４は、上面略中央に、取付け部品挿通穴１６を有する。
取付け部品挿通穴１６は、取付け部品５０を通すことができる大きさの略円形の貫通穴である。取付け部品挿通穴１６は、突起部５２と同じ数の突起挿通部１７（吊り下げ部）を有する。また、ケース１４の内側には、突起挿通部１７の隣に、ストッパー１８が設けられている。
【００５２】
照明装置１０を天井面に取り付ける作業の手順は、次のとおりである。
まず、取付け部品５０を、引っ掛けシーリングコンセントに固定する。
次に、ケース１４の取付け部品挿通穴１６を取付け部品５０に嵌め、突起部５２がストッパー１８に当たるまで、ケース１４全体を横に回転させる。ケース１４の上面が突起部５２の上に載ることにより、照明装置１０が天井面に取り付けられる。
【００５３】
例えば、突起部５２が３つある場合、どの突起部５２をどの突起挿通部１７に通すかによって、照明装置１０を取り付ける向きを１２０度ごとの３通りに変えることができる。また、取付け部品５０を引っ掛けシーリングコンセントに取り付ける向きを１８０度変えることができるので、照明装置１０を取り付ける向きは、６０度ごとの６通りになる。
照明装置１０は、全体として回転対称な外観であるから、照明装置１０を取り付ける向きを変えても外観上の変化はない。しかし、常夜灯として点灯される光源１１ａ，１１ｂは、照明装置１０の中心から外れた位置にあるので、照明装置１０を取り付ける向きを変えることにより、常夜灯として点灯される光源１１ａ，１１ｂの位置が変わる。
【００５４】
このように、常夜灯として点灯する光源の位置を変えることができるので、常夜灯の位置を部屋の状況に対応して選ぶことができ、利用者の望む快適な照明環境を実現することができる。
【００５５】
なお、突起部５２の数が多いほど、照明装置１０の向きを変えられる自由度が高くなるが、機械的強度を考慮すると、突起部５２の数は、あまり多くないほうがよい。このため、突起部５２の数は、例えば３〜５個程度であることが望ましい。また、取付け部品５０の取り付け向きの自由度を生かすためには、突起部５２の数は、奇数であるほうがよい。
【００５６】
以上、各実施の形態で説明した構成は、一例であり、他の構成であってもよい。例えば、異なる実施の形態で説明した構成を組み合わせた構成であってもよいし、本質的でない部分の構成を、他の構成で置き換えた構成であってもよい。
例えば、直流直流変換回路２２ａ，２２ｂは、バックコンバータ回路ではなく、ブーストコンバータ回路のような昇圧型のスイッチング電源であってもよいし、フライバックコンバータ回路やフォワードコンバータ回路のような絶縁型のスイッチング電源であってもよいし、他の電源回路であってもよい。直流直流変換回路２２ａと、直流直流変換回路２２ｂとは、同じ構成である必要はなく、異なる構成であってもよい。また、直流直流変換回路２２ａ，２２ｂは、別々に調整可能な２種類の出力を有する１つの電源回路で構成してもよい。
また、外部電源が直流電源である場合、整流回路２１は、なくてもよい。
【符号の説明】
【００５７】
１０  照明装置、１１，１２  光源、１３  基板、１４  ケース、１５  カバー、１６  取付け部品挿通穴、１７  突起挿通部、１８  ストッパー、２０  点灯装置、２１  整流回路、２２  直流直流変換回路、２３  制御ＩＣ、２４  電流検出回路、２５  制御回路、３０  光源回路、４０  中心点、４１，４２  距離、４３〜４５  配光曲線、５０  取付け部品、５１  引っ掛けシーリング係合部、５２  突起部、ＡＣ  外部電源、Ｃ１  コンデンサ、Ｃ２，Ｃ３  平滑コンデンサ、Ｄ２，Ｄ３  整流素子、ＤＢ  ダイオードブリッジ、Ｌ２，Ｌ３  チョークコイル、Ｑ２，Ｑ３  スイッチング素子、Ｓ３  スイッチング回路。
【図１】
0005832274.tif 000002
【図２】
0005832274.tif 000003
【図３】
0005832274.tif 000004
【図４】
0005832274.tif 000005
【図５】
0005832274.tif 000006
【図６】
0005832274.tif 000007
【図７】
0005832274.tif 000008
【図８】
0005832274.tif 000009
【図９】
0005832274.tif 000010
【図１０】
0005832274.tif 000011